(57)【要約】【課題】携帯式コンピュータ装置の止め合わせ装置の提供。【解決手段】携帯式コンピュータと分離式キーボードの当接面に磁性手段と凹凸位置決め手段を設け、磁性手段の発生する相互吸引磁力によりコンピュータと分離式キーボードを緊密に接合し、並びに凹凸位置決め手段により両者の間を確実に位置決めする。この簡易な携帯式コンピュータの止め合わせ装置によりコンピュータと分離式キーボードを一体化した装置として携帯使用に便利とし、また収納整理時に使用の空間を減らし、且つ簡易な磁性と位置決め設計により、速やかにコンピュータと分離式キーボードを分離或いは結合させることができるようにした。【選択図】        図２
2004272869.tif 000002
【特許請求の範囲】
【請求項１】
ディスプレイ面、背面、及び四つの側面を具え、ディスプレイ面と背面の少なくとも一方に複数の第１磁性手段と、少なくとも一つの第１位置決め手段が設けられたコンピュータと、
貼り合わせ面、及び四つの側縁を具え、貼り合わせ面にコンピュータの第１磁性手段に対応し第１磁性手段と相互に磁性吸引する複数の第２磁性手段が設けられ、該貼り合わせ面にコンピュータの第１位置決め手段に対応しそれと係合位置決め可能な少なくとも一つの第２位置決め手段が設けられた貼り合わせ板と、
を具えたことを特徴とする、携帯式コンピュータ装置の止め合わせ装置。
【請求項２】
請求項１記載の携帯式コンピュータ装置の止め合わせ装置において、貼り合わせ板の貼り合わせ面にキーボードセットが組み付けられたことを特徴とする、携帯式コンピュータ装置の止め合わせ装置。
【請求項３】
請求項１記載の携帯式コンピュータ装置の止め合わせ装置において、第１位置決め手段が突起とされ、第２位置決め手段が凹溝とされたことを特徴とする、携帯式コンピュータ装置の止め合わせ装置。
【請求項４】
請求項１記載の携帯式コンピュータ装置の止め合わせ装置において、コンピュータの側面の一つに少なくとも一つの係合凹溝が設けられ、貼り合わせ板の対応する側縁に該係合凹溝に対応しそれと係合する係止突起が設けられたことを特徴とする、携帯式コンピュータ装置の止め合わせ装置。
【請求項５】
請求項１記載の携帯式コンピュータ装置の止め合わせ装置において、貼り合わせ板の側縁の少なくとも一つに凹部が形成されたことを特徴とする、携帯式コンピュータ装置の止め合わせ装置。
【発明の詳細な説明】
【０００１】
【発明の属する技術分野】
本発明は一種の携帯式コンピュータ装置の止め合わせ装置に係り、特に携帯式コンピュータと板状物、例えばキーボード或いはカバーとの間を相互に結合させる止め合わせ装置の構造に関する。
【０００２】
【従来の技術】
携帯式コンピュータがデスクトップ型コンピュータに代わり市場を席巻しつつある。携帯式コンピュータは、ノートブック型コンピュータ、タブレットＰＣ、ウェブパッド、ＰＤＡ等があり、且つこの携帯式コンピュータ装置は携帯式コンピュータを具えているほか、分離式キーボード、或いはカバー等の周辺付属装置を具えている場合がある。
【０００３】
上述の携帯式コンピュータ装置の主要な目的は、携帯に便利で、いつでもどこでも使用できることである。しかし、上述の携帯式コンピュータと分離式キーボード、カバー等の周辺付属装置には連結機構設計がなく、即ち携帯過程で、コンピュータと上述の周辺付属装置が分離された状態とされ、この状況において、携帯使用の不便が形成され、また収納整理時にも場所を多くとる。
【０００４】
【発明が解決しようとする課題】
本発明の主要な目的は、一種の携帯式コンピュータ装置の止め合わせ装置を提供し、簡易な携帯式コンピュータ装置の止め合わせ装置により携帯式コンピュータとその周辺付属装置の間の携帯の便利性を増し、並びに収納整理に占める空間を減らすことにある。
【０００５】
本発明のもう一つの目的は、一種の携帯式コンピュータ装置の止め合わせ装置を提供し、簡易な携帯式コンピュータ装置の止め合わせ装置により携帯式コンピュータ装置とその周辺付属装置の快速分離と結合が行なえるようにすることにある。
【０００６】
【課題を解決するための手段】
請求項１の発明は、ディスプレイ面、背面、及び四つの側面を具え、ディスプレイ面と背面の少なくとも一方に複数の第１磁性手段と、少なくとも一つの第１位置決め手段が設けられたコンピュータと、
貼り合わせ面、及び四つの側縁を具え、貼り合わせ面にコンピュータの第１磁性手段に対応し第１磁性手段と相互に磁性吸引する複数の第２磁性手段が設けられ、該貼り合わせ面にコンピュータの第１位置決め手段に対応しそれと係合位置決め可能な少なくとも一つの第２位置決め手段が設けられた貼り合わせ板と、
を具えたことを特徴とする、携帯式コンピュータ装置の止め合わせ装置としている。
請求項２の発明は、請求項１記載の携帯式コンピュータ装置の止め合わせ装置において、貼り合わせ板の貼り合わせ面にキーボードセットが組み付けられたことを特徴とする、携帯式コンピュータ装置の止め合わせ装置としている。
請求項３の発明は、請求項１記載の携帯式コンピュータ装置の止め合わせ装置において、第１位置決め手段が突起とされ、第２位置決め手段が凹溝とされたことを特徴とする、携帯式コンピュータ装置の止め合わせ装置としている。
請求項４の発明は、請求項１記載の携帯式コンピュータ装置の止め合わせ装置において、コンピュータの側面の一つに少なくとも一つの係合凹溝が設けられ、貼り合わせ板の対応する側縁に該係合凹溝に対応しそれと係合する係止突起が設けられたことを特徴とする、携帯式コンピュータ装置の止め合わせ装置としている。
請求項５の発明は、請求項１記載の携帯式コンピュータ装置の止め合わせ装置において、貼り合わせ板の側縁の少なくとも一つに凹部が形成されたことを特徴とする、携帯式コンピュータ装置の止め合わせ装置としている。
【０００７】
【発明の実施の形態】
本発明の携帯式コンピュータ装置の止め合わせ装置は、コンピュータと貼り合わせ板を具え、そのうちコンピュータはディスプレイ面、背面、及び四つの側面を具え、ディスプレイ面と背面の少なくとも一方に複数の第１磁性手段と、少なくとも一つの第１位置決め手段が設けられている。貼り合わせ板は貼り合わせ面、及び四つの側縁を具え、貼り合わせ面に複数の第２磁性手段が、コンピュータの第１磁性手段に対応するよう設けられ、並びに相互に磁性吸着するものとされ、及び少なくとも一つの第２位置決め手段がコンピュータの第１位置決め手段に対応しそれと係合位置決め可能に設けられる。
【０００８】
これにより、コンピュータと貼り合わせ板が貼り合わせられる時、磁性手段の発生する相互吸引磁力により、コンピュータと貼り合わせ板が緊密に貼り合わせられ、また位置決め手段によりコンピュータと貼り合わせ板が相互に正確に位置決めされ、即ちコンピュータと貼り合わせ板が貼り合わせられた後に一体化の装置が形成され、並びに一緒に携帯或いは収納整理される。ゆえに本発明の簡易な携帯式コンピュータ装置の止め合わせ装置は携帯式コンピュータ装置と貼り合わせ板の携帯の便利性を増し、並びに収納整理時に占用する空間を減らす。このほか、本発明は簡単な磁性と位置決めの設計を使用して携帯式コンピュータと貼り合わせ板の快速分離と結合の目的を達成する。
【０００９】
本発明中、貼り合わせ板は単純なカバー板とされるか、或いはその貼り合わせ面にキーボードセットが設けられた分離式キーボードとされて、コンピュータとキーボードセットが一体とされ携帯使用できるものとされる。或いはタッチパネル、マウス、或いはその他の周辺付属装置とされうる。
【００１０】
そのうち、第１、第２磁性手段は磁性を具え、プラスマイナス極磁石とされ、相互に異なる磁性を具えて相互に吸着するものとされうるが、当然、そのうちの一方が磁性を具備し、もう一方が磁性感応手段、例えばステンレススチールで形成されたものとされうる。
【００１１】
このほか、上述の第１位置決め手段には突起を、第２位置決め手段には該突起に対応する凹溝を採用可能で、その凹凸の組合せは逆もまた可能である。また本発明はさらに補助係合機構を使用可能で、該補助係合機構は、コンピュータの一側面に設けられた少なくとも一つの係合凹溝と、貼り合わせ板の対応する側縁に該係合凹溝に対応するよう設けられた少なくとも一つの係止突起で組成されたものとされ得て、その凹凸の組合せは逆も可能である。
【００１２】
【実施例】
図１は本発明の実施例の斜視図であり、それは、携帯式コンピュータ１、及び貼り合わせ板２（ａｔｔａｃｈｅｄ  ｐａｎｅｌ）を具えている。図２の分解斜視図も参照されたい。本実施例のコンピュータ１はタブレットＰＣとされ、それはディスプレイ面１１、背面１２、及び四つの側面１３を具え、且つ背面１２の四つの角部近くにそれぞれ一つの第１磁性手段１４（例えばプラス極磁石）が設けられ、並びにこの背面１２に別に四つの第１位置決め手段１５（例えば突起）が設けられている。このほか、上述の貼り合わせ板２は貼り合わせ面２１、及び四つの側縁２３を具え、貼り合わせ面２１の四つの角部近くにそれぞれ一つの第２磁性手段２４（例えばマイナス極磁石）、及び第２位置決め手段２５（例えば凹溝）が設けられ、且つ第２磁性手段２４はそれぞれコンピュータ１の第１磁性手段１４に対応し並びに相互に磁性吸引し、第２位置決め手段２５はそれぞれコンピュータ１の第１位置決め手段１５に対応し係合位置決めできる。本実施例では、上述の貼り合わせ板２の貼り合わせ面２１にキーボードセット２２が組み付けられて入力操作に供される。
【００１３】
これにより、コンピュータ１と貼り合わせ板２が貼り合わせられる時、第１磁性手段１４と第２磁性手段２４が相互に吸引する磁力を発生してコンピュータ１と貼り合わせ板２を緊密に貼り合わせ、また第１位置決め手段１５と第２位置決め手段２５の凹凸の組み合わせによりコンピュータ１と貼り合わせ板２が相互に正確に位置決めされ、即ちコンピュータ１と貼り合わせ板２の貼り合わせ後に一体化された装置が形成され、並びに一緒に携帯使用されるか収納整理される。ゆえに、上述の簡易な携帯式コンピュータ装置の止め合わせ装置により携帯式コンピュータ１と貼り合わせ板２の携帯の便利性が高められ、並びに収納整理時に占用する空間が減らされる。このほか、簡単な磁性と位置決めの設計の使用により携帯式コンピュータ１と貼り合わせ板２の快速分離或いは結合の目的が達成されている。
【００１４】
本実施例中、コンピュータ１の一側面１３に二つの係合凹溝１３１が形成され、且つ貼り合わせ板２のそれに対応する側縁２３に二つの係止突起２３１が形成され、ゆえに閉じ合わせられる時、まずコンピュータ１が一側の二つの係合凹溝１３１を以て先に二つの係止突起２３１に係合され、さらに回転されて全体のコンピュータ１の背面１２がキーボードセット２２及び貼り合わせ面２１に閉じ合わされ、こうして補助性の係合アライメント構造が形成される。このほか、上述の貼り合わせ板２の上述のコンピュータ１の側面１３に対応する側縁２３に凹部２３２が形成され、ゆえにコンピュータ１と貼り合わせ板２を分離或いは結合させる時は、人の手でこの凹部２３２に施力すれば操作が行ないやすい。
【００１５】
図３は本発明の実施例のもう一つの分解斜視図であり、その主要な構造は上述の実施例と同じであるが、異なるところは、コンピュータ１の第１磁性手段１４’と第１位置決め手段１５’がディスプレイ面１１に設置され、貼り合わせ板２が反対方向にディスプレイ面１１に貼り合わされ、並びにその第２磁性手段２４が第１磁性手段１４’に対応し磁性吸引され、第２位置決め手段２５が第１位置決め手段１５’に対応し位置決めされ、貼り合わせ板２がコンピュータ１の背面１２（図２）或いはディスプレイ面１１に貼り合わせられる。このような設計により、上述の各種の機能を達成すると共に、コンピュータ１のディスプレイ面１１を保護して衝突による損傷を防止する。
【００１６】
上述の実施例は本発明の実施範囲を限定するものではなく、本発明に基づきなしうる細部の修飾或いは改変は、いずれも本発明の請求範囲に属するものとする。
【００１７】
【発明の効果】
本発明は、携帯式コンピュータと分離式キーボードの当接面に磁性手段と凹凸位置決め手段を設け、磁性手段の発生する相互吸引磁力によりコンピュータと分離式キーボードを緊密に接合し、並びに凹凸位置決め手段により両者の間を確実に位置決めする。この簡易な携帯式コンピュータの止め合わせ装置によりコンピュータと分離式キーボードを一体化した装置として携帯使用に便利とし、また収納整理時に使用の空間を減らし、且つ簡易な磁性と位置決め設計により、速やかにコンピュータと分離式キーボードを分離或いは結合させることができるようにしている。
【図面の簡単な説明】
【図１】本発明の実施例の斜視図である。
【図２】本発明の実施例の分解斜視図である。
【図３】本発明の別の実施例の分解斜視図である。
【符号の説明】
１  コンピュータ          １１  ディスプレイ面        １２  背面
１３  側面                １３１  係合凹溝
１４、１４’  第１磁性手段        １５、１５’  第１位置決め手段
２  貼り合わせ板                  ２１  貼り合わせ面
２２  キーボードセット            ２３  側縁
２３１  係止突起                  ２３２  凹部
２４  第２磁性手段                ２５  第２位置決め手段
【図１】
2004272869.tif 000003
【図２】
2004272869.tif 000004
【図３】
2004272869.tif 000005